(57)【要約】      （修正有）【課題】ＣＦｅｘｐｒｅｓｓ（登録商標）カードＴｙｐｅ−ＡからＢへの変換カードを提供する。【解決手段】ＣＦｅｘｐｒｅｓｓカードＴｙｐｅ−ＡからＢへの変換カードは台座体１、蓋板２、変換部３を備え、台座体１片側に挿入接続口１１を設置し、蓋板２は台座体１上方を覆って蓋をし、内部に収容設置空間２０を備え、蓋板２片側に本体２１を備え、本体２１両側にＣＦｅｘｐｒｅｓｓを予め設置したＴｙｐｅ−Ａカードを挿入接続口１１内部に挿入する第一位置制限アーム２１１、第二位置制限アーム２１２を延伸し、変換部３は収容設置空間２０内部に設置され、変換部３は導電端子３２を備え、端子台３１表面に端子槽３１０を貫通状に設置して、端子槽３１０内部に設置される第一接点３２１をそれぞれ備え、第一接点３２１の反対側は第二接点３２２を延伸し、第一接点３２１と第二接点３２２の間にやや突出した固定部３２３を備え、上述の構成部材によりＣＦｅｘｐｒｅｓｓカードのＴｙｐｅ−ＡからＢへの変換機能を達成する。【選択図】図２
0003234138.tif 000002
【実用新案登録請求の範囲】
【請求項１】
ＣＦｅｘｐｒｅｓｓカードＴｙｐｅ-ＡからＴｙｐｅ-Ｂへの変換カードは、台座体、蓋板、変換部を備え、
該台座体片側には、挿入接続口を設置し、
該蓋板は、該台座体上方を覆って蓋をし、しかも該蓋板内部には、収容設置空間を備え、該蓋板片側には、本体を備え、しかも該本体両側には、ＣＦｅｘｐｒｅｓｓを予め設置したＴｙｐｅ-Ａカードを該挿入接続口内部に挿入する第一位置制限アーム及び第二位置制限アームを延伸し、
該変換部は、該収容設置空間内部に設置され、しかも該変換部は、端子台及び複数の導電端子を備え、しかも該端子台表面には、複数の端子槽を貫通状に設置し、該各導電端子は、該端子槽内部に設置される第一接点をそれぞれ備え、該第一接点の反対側は、第二接点を延伸し、しかも該第一接点と該第二接点の間には、やや突出した固定部を備えることを特徴とするＣＦｅｘｐｒｅｓｓカードＴｙｐｅ-ＡからＴｙｐｅ-Ｂへの変換カード。
【請求項２】
前記台座体両側には、少なくとも１個の嵌合片をそれぞれ設置し、しかも該蓋板の該本体両側には、該各嵌合片に対応し、該蓋板を該台座体上に嵌合する少なくとも１個の嵌合ブロックをそれぞれ設置し、しかも該端子台両側には、固定ブロックをそれぞれ突出状に設置し、該蓋板の該本体両側には、該固定ブロックに対応して嵌合する固定槽をそれぞれ陥没状に設置し、該端子台表面には、複数の定位孔を貫通状に設置し、しかも該蓋板の該本体片側には、該各定位孔に対応する複数の定位凸ブロックを設置し、該各定位凸ブロックは、該各定位孔内に堅固に係合され、これにより該蓋板及び該端子台は、さらに堅固に結合されることを特徴とする請求項１に記載のＣＦｅｘｐｒｅｓｓカードＴｙｐｅ-ＡからＴｙｐｅ-Ｂへの変換カード。
【請求項３】
前記第一位置制限アーム上には、第一定位部を陥没状に設置し、該第二位置制限アーム上には、第二定位部を陥没状に設置し、しかも該台座体は、該挿入接続口片側に、該第一定位部及び該第二定位部に対応する複数の定位片を設置し、しかも該各定位片は、該第一定位部及び該第二定位部を係合して定位でき、これにより該第一位置制限アーム及び該第二位置制限アームは、さらに堅固となり、しかも該第二位置制限アームの体積は、該第一位置制限アームより小さく、しかも該第一位置制限アーム片側には、該第一位置制限アームよりやや短く、該ＣＦｅｘｐｒｅｓｓを予め設置したＴｙｐｅ-Ａカードの反対方向への挿入ミスを防止する機能を備えるポカ避けブロックを設置することを特徴とする請求項１に記載のＣＦｅｘｐｒｅｓｓカードＴｙｐｅ-ＡからＴｙｐｅ-Ｂへの変換カード。
【考案の詳細な説明】
【技術分野】
【０００１】
本考案はＣＦｅｘｐｒｅｓｓカードＴｙｐｅ−ＡからＴｙｐｅ−Ｂへの変換カードに関し、特に機構嵌合組み立ての方式により、しかもネジ、接着剤或いは超音波溶着を使う必要もなく、組み立てが簡易で、生産コストを引き下げられ、ＣＦｅｘｐｒｅｓｓカードのカードリーダーを必要としない、ＣＦｅｘｐｒｅｓｓカードＴｙｐｅ-ＡからＴｙｐｅ-Ｂへの変換カードに関する。
【背景技術】
【０００２】
映像と画像の解析度が向上するに従い、メモリーカードの保存空間及びアクセス速度への要求はますます高くなっており、解析度の高い映像及び画像の伝送及び保存への対応が求められている。
ＣＦｅｘｐｒｅｓｓ規格のメモリーカードは、CompactFlash協会が発表した次世代規格のメモリーカードである。  
その最高速度は、毎秒８ＧＢにも達し、現在トップクラスのＸＱＤメモリーカードの最高速度１ＧＢに比べ、その性能は飛躍的に向上している。
【０００３】
しかし、ＣＦｅｘｐｒｅｓｓカードにはＴｙｐｅ-ＡとＴｙｐｅ-Ｂの２つの規格があり、一般にＣＦｅｘｐｒｅｓｓカードを使用する電子装置（ノートパソコン、デジカメ、カードリーダー、デスクトップＰＣなど）は通常、１種のみのＣＦｅｘｐｒｅｓｓカードをサポートするメモリーカードスロットを備える。
そのため、Ｔｙｐｅ-ＡとＴｙｐｅ-Ｂの二つの規格を同時に使用する場合には、専用のカードリーダーを購入しなければならない。
ＣＦｅｘｐｒｅｓｓカードのカードリーダーは高価なため、価格が原因で消費者が使用をためらい、さらにはそれらメモリーカードの使用を諦めてしまう場合もある。
【先行技術文献】
【特許文献】
【０００４】
【特許文献１】特開２００２−３５２２１２号公報
【考案の概要】
【考案が解決しようとする課題】
【０００５】
本考案の目的は、ＣＦｅｘｐｒｅｓｓカードＴｙｐｅ-ＡからＴｙｐｅ-Ｂへの変換カードを提供することである。
【課題を解決するための手段】
【０００６】
本考案の特徴は、ＣＦｅｘｐｒｅｓｓカードＴｙｐｅ-ＡからＴｙｐｅ-Ｂへの変換カードであって、該変換カードは台座体、蓋板、変換部を備え、該台座体片側には、挿入接続口を設置し、該蓋板は、該台座体上方を覆って蓋をし、しかも該蓋板内部には、収容設置空間を備え、該蓋板片側には、本体を備え、しかも該本体両側には、ＣＦｅｘｐｒｅｓｓを予め設置したＴｙｐｅ-Ａカードを該挿入接続口内部に挿入する第一位置制限アーム及び第二位置制限アームを延伸し、
該変換部は、該収容設置空間内部に設置され、しかも該変換部は、端子台及び複数の導電端子を備え、しかも該端子台表面には、複数の端子槽を貫通状に設置し、該各導電端子は、該端子槽内部に設置される第一接点をそれぞれ備え、該第一接点の反対側は、第二接点を延伸し、しかも該第一接点と該第二接点の間には、やや突出した固定部を備えるＣＦｅｘｐｒｅｓｓカードＴｙｐｅ-ＡからＴｙｐｅ-Ｂへの変換カードである。
【０００７】
本考案の次に主要な特徴は、該台座体両側に、少なくとも１個の嵌合片をそれぞれ設置し、しかも該蓋板の該本体両側には、該各嵌合片に対応し、該蓋板を該台座体上に嵌合する少なくとも１個の嵌合ブロックをそれぞれ設置する。
【０００８】
本考案のもう一つの特徴は、前記端子台の両側に、固定ブロックをそれぞれ突出状に設置し、しかも該蓋板の該本体両側には、該固定ブロックに対応して嵌合する固定槽をそれぞれ陥没状に設置する。
【０００９】
本考案のさらにもう一つの特徴は、該第一位置制限アーム上に第一定位部を陥没状に設置し、該第二位置制限アーム上に第二定位部を陥没状に設置し、しかも該台座体は、該挿入接続口片側に、該第一定位部及び該第二定位部に対応する複数の定位片を設置し、しかも該各定位片は、該第一定位部及び該第二定位部を係合して定位でき、これにより該第一位置制限アーム及び該第二位置制限アームは、さらに堅固となる。
【００１０】
本考案のさらにもう一つの特徴は、該第二位置制限アームの体積は、該第一位置制限アームより小さい。
【００１１】
本考案のさらにもう一つの特徴は、該端子台表面には、複数の定位孔を貫通状に設置し、しかも該蓋板の該本体片側には、該各定位孔に対応する複数の定位凸ブロックを設置し、該各定位凸ブロックは、該各定位孔内に堅固に係合され、これにより該蓋板及び該端子台は、さらに堅固に結合される。
【００１２】
本考案のさらにもう一つの特徴は、該変換部の該各導電端子は、インサート成形法を利用し、該端子台内部に一体成形される。
【００１３】
本考案のさらにもう一つの特徴は、該第一位置制限アーム片側には、該第一位置制限アームよりやや短く、該ＣＦｅｘｐｒｅｓｓを予め設置したＴｙｐｅ-Ａカードの反対方向への挿入ミスを防止する機能を備えるポカ避けブロックを設置する。
【考案の効果】
【００１４】
本考案は、上述した機構嵌合組み立ての方式により、１個のネジも接着剤も超音波溶着さえも不要で、組み立てが簡易で、これにより製品の歩留りを高め、この結果、ネジ、接着剤或いは超音波溶着を使う必要もなく、組み立てが簡易で、これにより製品の歩留りを高め、生産コストを引き下げられ、こうして消費者は高価なＣＦｅｘｐｒｅｓｓカードのカードリーダーを買う必要がなくなる。
【図面の簡単な説明】
【００１５】
【図１】本考案ＣＦｅｘｐｒｅｓｓカードＴｙｐｅ-ＡからＴｙｐｅ-Ｂへの変換カードの立体外観図である。
【図２】本考案ＣＦｅｘｐｒｅｓｓカードＴｙｐｅ-ＡからＴｙｐｅ-Ｂへの変換カードの立体分解図である。
【図３】本考案ＣＦｅｘｐｒｅｓｓカードＴｙｐｅ-ＡからＴｙｐｅ-Ｂへの変換カードの別の視角からの立体分解図である。
【図４】本考案ＣＦｅｘｐｒｅｓｓカードＴｙｐｅ-ＡからＴｙｐｅ-Ｂへの変換カードの側視断面図である。
【考案を実施するための形態】
【００１６】
以下に、本考案のＣＦｅｘｐｒｅｓｓカードＴｙｐｅ-ＡからＴｙｐｅ-Ｂへの変換カードの最適の実施例を図面に沿って説明する。
【実施例】
【００１７】
図１から図４において、本考案ＣＦｅｘｐｒｅｓｓカードＴｙｐｅ-ＡからＴｙｐｅ-Ｂへの変換カードは、台座体１、蓋板２、変換部３を備える。
【００１８】
前記構成部材の連接関係は以下の通りである。
台座体１内部片側には、挿入接続口１１を設置し、しかも該台座体１両側には、少なくとも１個の嵌合片１２をそれぞれ設置し、しかも該台座体１の該挿入接続口１１片側には、複数の定位片１３を設置する。
【００１９】
該蓋板２は、該台座体１上方を覆って蓋をし、しかも該蓋板２内部には、収容設置空間２０を備え、該蓋板２内片側には、本体２１を備える。
該本体２１両側には、固定ブロック３１１に対応する固定槽２１０をそれぞれ陥没状に設置し、しかも該本体２１両側は、第一位置制限アーム２１１及び第二位置制限アーム２１２が延伸し、該第一位置制限アーム２１１上には、第一定位部２１１１を陥没状に設置し、該第二位置制限アーム２１２上には、第二定位部２１２１を陥没状に設置する。
該本体２１片側には、複数の定位凸ブロック２２を設置し、しかも該本体２１両側には、該各嵌合片１２に対応する少なくとも１個の嵌合ブロック２３をそれぞれ設置する。
【００２０】
該変換部３は、該収容設置空間２０内部に設置され、しかも該変換部３は、端子台３１及び複数の導電端子３２を備え、該端子台３１両側には、固定ブロック３１１をそれぞれ突出状に設置し、しかも該端子台３１表面には、複数の端子槽３１０及び該各定位凸ブロック２２に対応する複数の定位孔３１２を貫通状に設置する。
該各導電端子３２には、該各端子槽３１０内部に設置される第一接点３２１をそれぞれ備え、該第一接点３２１の反対側は、第二接点３２２を延伸し、しかも該第一接点３２１と該第二接点３２２の間には、やや突出した固定部３２３を備える。
【００２１】
本考案によるＣＦｅｘｐｒｅｓｓカードＴｙｐｅ-ＡからＴｙｐｅ-Ｂへの変換カードを組み立てる際には、先ず該変換部３の該各導電端子３２を、インサート成形法（Insert molding）を利用し、該端子台３１内に一体成形し、これにより該各第一接点３２１は、該端子槽３１０内部に収容設置される。
【００２２】
続いて、組み立て完成後の該変換部３を、該収容設置空間２０内部に入れ、しかも組み立て完成後に、該蓋板２で該台座体１上を覆い、該蓋板２内の該各定位凸ブロック２２と相互に対応する該各定位孔３１２とを相互に嵌合させる。
該端子台３１両側の該固定ブロック３１１を、該蓋板２両側の該固定槽２１０内に入れ、該蓋板２と該変換部３を緊密に固定し、該台座体１両側の該各嵌合片１２と、該蓋板２両側の対応する該各嵌合ブロック２３とを相互に嵌合し、こうして該台座体１と該蓋板２を固定し、本考案によるＣＦｅｘｐｒｅｓｓカードＴｙｐｅ-ＡからＴｙｐｅ-Ｂへの変換カードの組み立てを完成する。
【００２３】
該蓋板２は、プラスチック射出成形の設計であるため、該蓋板２の成形時には、両側の該第一位置制限アーム２１１、及び該第一位置制限アーム２１１より小さい該第二位置制限アーム２１２は、内向きに変形を生じる。
よって、該台座体１と該蓋板２を相互に嵌合した後、該台座体１上の該各定位片１３は、該蓋板２両側の該第一定位部２１１１及び該第二定位部２１２１を係合し、こうして該第一位置制限アーム２１１及び該第二位置制限アーム２１２の位置を固定する。
しかも該蓋板２の該第一位置制限アーム２１１片側には、該第一位置制限アーム２１１よりやや短いポカ避けブロック２４を設置し、該ポカ避けブロック２４は、ＣＦｅｘｐｒｅｓｓを予め設置したＴｙｐｅ-Ａカード（図示なし）を、間違って反対に差し込まないようにする機能を備える。
【００２４】
図に示すＣＦｅｘｐｒｅｓｓのＴｙｐｅ-Ａカードのピン状態のデータは、下表の表１の通りである。
【表１】
0003234138.tif 000003
【００２５】
下記の表２は、ＣＦｅｘｐｒｅｓｓのＴｙｐｅ-Ｂカードのピン状態のデータを示す。
【表２】
0003234138.tif 000004
【００２６】
上記表により明らかなように、ＣＦｅｘｐｒｅｓｓカードのＴｙｐｅ-Ａの１から１３番のピンとＴｙｐｅ-Ｂの９から２１番のピンは、完全に同じで、よって本考案の該各導電端子３２は、ＴＹＰＥ-Ｂのピンに対応し、６、７は離れた状態で、しかも該各導電端子３２の湾曲幅が大きくなり過ぎ、該メモリーカードの伝送速度に影響を及ぼすことがないよう、該本体３１は片側に延伸する該第二位置制限アーム２１２の幅を削減し、これにより該各導電端子３２は、ＴＹＰＥ-Ｂのピン位置に対応し、該第二位置制限アーム２１２片側に寄る。
【００２７】
幅を削減した該第二位置制限アーム２１２は、内向き変形がより容易に生じやすくなり、これにより該ＣＦｅｘｐｒｅｓｓを予め設置したＴｙｐｅ-Ａカード挿入を制限する作用を達成することができなくなる。
【００２８】
この状況の発生を回避するため、該台座体１両側には、該第一定位部２１１１及び該第二定位部２１２１の係合を制限し、該第一位置制限アーム２１１及び該第二位置制限アーム２１２が変形できないようにする該各定位片１３を設置する。
【００２９】
本考案の実施例において、ＣＦｅｘｐｒｅｓｓを予め設置したＴｙｐｅ-Ａカードを、該台座体１の該挿入接続口１１から挿入すると、該ＣＦｅｘｐｒｅｓｓを予め設置したＴｙｐｅ-Ａカードは、両側の該第一位置制限アーム２１１及び該第二位置制限アーム２１２に沿って、該台座体１内部へと挿入され、該ＣＦｅｘｐｒｅｓｓを予め設置したＴｙｐｅ-Ａカード底部の所定の複数の金属接点（図示なし）は、該台座体１内部の該各第二接点３２２と、それぞれ良好な電気的接触を形成する。
【００３０】
該ＣＦｅｘｐｒｅｓｓを予め設置したＴｙｐｅ-Ａカードが、該台座体１の該挿入接続口１１内部に安定的に挿入されたなら、電子装置（ノートパソコン、デジカメ、カードリーダー、デスクトップＰＣなど）のＣＦｅｘｐｒｅｓｓ  Ｔｙｐｅ-Ｂ規格を読み取れるメモリーカードスロット（図示なし）内に該変換カードを挿入して接続し、しかも該変換部３内部の該各第一接点３２１は、該メモリーカードスロット内の複数の対応接続点と電気的導通を形成し、こうして電力及びシグナルの伝送を行い、カード読み取り作業を行う。
【００３１】
これにより、ＣＦｅｘｐｒｅｓｓ  Ｔｙｐｅ-Ｂ規格をサポートする電子装置を購入しても、ＣＦｅｘｐｒｅｓｓ  Ｔｙｐｅ-Ａカードにアクセスできる効果を達成することができる。
【００３２】
上記を総合すると、本考案は以下の効果を備える。
該ＣＦｅｘｐｒｅｓｓカードＴｙｐｅ-ＡからＴｙｐｅ-Ｂへの変換カードは、機構嵌合の方式により組み立て成形され、しかも１個のネジも接着剤も超音波溶着さえも不要で、組み立てが簡易で、より高い歩留りと生産コストの引き上げを達成でき、こうして消費者は高価なＣＦｅｘｐｒｅｓｓカードのカードリーダーを買う必要がなくなる。
【産業上の利用可能性】
【００３３】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３４】
１  台座体
１１  挿入接続口
１２  嵌合片
１３  定位片
２  蓋板
２０  収容設置空間
２１  本体
２１０  固定槽
２１１  第一位置制限アーム
２１１１  第一定位部
２１２  第二位置制限アーム
２１２１  第二定位部
２２  定位凸ブロック
２３  嵌合ブロック
２４  ポカ避けブロック
３  変換部
３１  端子台
３１０  端子槽
３１１  固定ブロック
３１２  定位孔
３２  導電端子
３２１  第一接点
３２２  第二接点
３２３  固定部
【図１】
0003234138.tif 000005
【図２】
0003234138.tif 000006
【図３】
0003234138.tif 000007
【図４】
0003234138.tif 000008
【手続補正書】
【提出日】令和3年7月30日(2021.7.30)
【手続補正１】
【補正対象書類名】実用新案登録請求の範囲
【補正対象項目名】全文
【補正方法】変更
【補正の内容】
【実用新案登録請求の範囲】
【請求項１】
ＣＦｅｘｐｒｅｓｓ（登録商標）カードＴｙｐｅ-ＡからＴｙｐｅ-Ｂへの変換カードは、台座体、蓋板、変換部を備え、
該台座体片側には、挿入接続口を設置し、
該蓋板は、該台座体上方を覆って蓋をし、しかも該蓋板内部には、収容設置空間を備え、該蓋板片側には、本体を備え、しかも該本体両側には、ＣＦｅｘｐｒｅｓｓ（登録商標）を予め設置したＴｙｐｅ-Ａカードを該挿入接続口内部に挿入する第一位置制限アーム及び第二位置制限アームを延伸し、
該変換部は、該収容設置空間内部に設置され、しかも該変換部は、端子台及び複数の導電端子を備え、しかも該端子台表面には、複数の端子槽を貫通状に設置し、該各導電端子は、該端子槽内部に設置される第一接点をそれぞれ備え、該第一接点の反対側は、第二接点を延伸し、しかも該第一接点と該第二接点の間には、やや突出した固定部を備えることを特徴とするＣＦｅｘｐｒｅｓｓ（登録商標）カードＴｙｐｅ-ＡからＴｙｐｅ-Ｂへの変換カード。
【請求項２】
前記台座体両側には、少なくとも１個の嵌合片をそれぞれ設置し、しかも該蓋板の該本体両側には、該各嵌合片に対応し、該蓋板を該台座体上に嵌合する少なくとも１個の嵌合ブロックをそれぞれ設置し、しかも該端子台両側には、固定ブロックをそれぞれ突出状に設置し、該蓋板の該本体両側には、該固定ブロックに対応して嵌合する固定槽をそれぞれ陥没状に設置し、該端子台表面には、複数の定位孔を貫通状に設置し、しかも該蓋板の該本体片側には、該各定位孔に対応する複数の定位凸ブロックを設置し、該各定位凸ブロックは、該各定位孔内に堅固に係合され、これにより該蓋板及び該端子台は、さらに堅固に結合されることを特徴とする請求項１に記載のＣＦｅｘｐｒｅｓｓ（登録商標）カードＴｙｐｅ-ＡからＴｙｐｅ-Ｂへの変換カード。
【請求項３】
前記第一位置制限アーム上には、第一定位部を陥没状に設置し、該第二位置制限アーム上には、第二定位部を陥没状に設置し、しかも該台座体は、該挿入接続口片側に、該第一定位部及び該第二定位部に対応する複数の定位片を設置し、しかも該各定位片は、該第一定位部及び該第二定位部を係合して定位でき、これにより該第一位置制限アーム及び該第二位置制限アームは、さらに堅固となり、しかも該第二位置制限アームの体積は、該第一位置制限アームより小さく、しかも該第一位置制限アーム片側には、該第一位置制限アームよりやや短く、該ＣＦｅｘｐｒｅｓｓ（登録商標）を予め設置したＴｙｐｅ-Ａカードの反対方向への挿入ミスを防止する機能を備えるポカ避けブロックを設置することを特徴とする請求項１に記載のＣＦｅｘｐｒｅｓｓ（登録商標）カードＴｙｐｅ-ＡからＴｙｐｅ-Ｂへの変換カード。
【手続補正２】
【補正対象書類名】明細書
【補正対象項目名】０００１
【補正方法】変更
【補正の内容】
【０００１】
本考案はＣＦｅｘｐｒｅｓｓ（登録商標）カードＴｙｐｅ−ＡからＴｙｐｅ−Ｂへの変換カードに関し、特に機構嵌合組み立ての方式により、しかもネジ、接着剤或いは超音波溶着を使う必要もなく、組み立てが簡易で、生産コストを引き下げられ、ＣＦｅｘｐｒｅｓｓカードのカードリーダーを必要としない、ＣＦｅｘｐｒｅｓｓカードＴｙｐｅ-ＡからＴｙｐｅ-Ｂへの変換カードに関する。